(57)【要約】【課題】複数の連続した日付を常に正確、且つ、簡便に示すことのできる機能を備えた日付表示装置を提供する。【解決手段】複数の日付を表す複数の数字が上面に環状に印された回転板と、この回転板上に設けられ、複数の日付のうち連続する所定数（Ｎ：２以上の整数）の日付を表す所定数の数字を露出する開口部が形成された固定板とを備えた日付表示装置において、複数の数字の配列は、大の月の全ての日付が１日から月末の日付へ順番に並べられた第１配列と、第１〜第３の月に対し、それぞれ、１日から（Ｎ−１）日までの日付、及び、月末の（Ｎ−２）日前から月末までの日付が連続して順番に並べられた第２配列、第３配列及び第４配列、と、により構成され、回転板上面に１個の環状に連続して順番に印されていることを特徴としている。【選択図】図４
2011122841.tif 000002
【特許請求の範囲】
【請求項１】
複数の日付をそれぞれ表す複数の数字が上面に環状に印された回転板と、
前記回転板上に設けられ、前記複数の数字のうち連続する所定数（２以上の整数）の日付を表す所定数の数字を露出する開口部が形成された固定板とを備え、
前記回転板と前記固定板を用いて前記連続する所定数の日付を表す所定数の数字を同時に表示する日付表示装置において、
前記回転板に印された複数の数字の配列は、
大の月の日付を表す１から３１の数字が所定の方向に沿って順番に並べられた第１配列と、
１日から（所定数−１）日までの日付を表す数字及び月末が３１日でない第１〜第３の小の月のうち第１の小の月の月末の（所定数−２）日前から月末までの日付を表す数字が前記所定の方向に沿って順番に並べられた第２配列と、
１日から（所定数−１）日までの日付を表す数字及び前記第２の小の月の月末の（所定数−２）日前から月末までの日付を表す数字が前記所定の方向に沿って順番に並べられた第３配列と、
１日から（所定数−１）日までの日付を表す数字及び前記第３の小の月の月末の（所定数−２）日前から月末までの日付を表す数字が前記所定の方向に沿って順番に並べられた第４配列と
を有することを特徴とする日付表示装置。
【請求項２】
複数の日付をそれぞれ表す複数の数字が上面に環状に印された回転板と、
前記回転板上に設けられ、前記複数の数字のうち連続する所定数（２以上の整数）の日付を表す所定数の数字を露出する開口部が形成された固定板とを備え、
前記回転板と前記固定板を用いて前記連続する所定数の日付を表す所定数の数字を同時に表示する日付表示装置において、
前記回転板に印された複数の数字の配列は、
月末が３１日でない第１〜第３の小の月のうち第１の小の月の日付を表す数字が所定方向に沿って順番に並べられた第５配列と、
１日から（所定数−１）日までの日付を表す数字及び第２の小の月の月末の（所定数−２）日前から月末までの日付を表す数字が前記所定方向に沿って順番に並べられた第６配列と、
１日から（所定数−１）日までの日付を表す数字及び第３の小の月の月末の（所定数−２）日前から月末までの日付を表す数字が前記所定方向に沿って順番に並べられた第７配列と、
１日から（所定数−１）日までの日付を表す数字及び第１の小の月の月末の（所定数−２）日前から３１日までの日付を表す数字が前記所定方向に沿って順番に並べられた第８配列と
を有することを特徴とする日付表示装置。
【請求項３】
複数の日付をそれぞれ表す複数の数字が上面に環状に印された回転板と、
この回転板上に設けられ、前記複数の日付を表す数字のうち連続する所定数（２以上の整数）の日付を表す所定数の数字を露出する開口部が形成された固定板とを備え、
前記回転板と前記固定板を用いて前記連続する所定数の日付を表す所定数の数字を同時に表示する日付表示装置において、
前記複数の日付をそれぞれ表す複数の数字には、暦上出現し得る前記連続する所定数の日付を表す所定数の数字の配列が全て含まれている
ことを特徴とする日付表示装置。
【請求項４】
年月日を計数する計時手段と、
前記計時手段の年月日データに基づいて前記回転板を電気的に回転制御し、当日を含む連続した前記所定数の日付に対応する所定数の数字を前記開口部から露出させる駆動制御手段と
を備えていることを特徴とする請求項１〜請求項３のいずれか１項に記載の日付表示装置。
【請求項５】
前記固定板上で回転して時刻を指し示す指針を備え、
前記計時手段は、現在時刻の計数を行い、
前記駆動制御手段は、前記計時手段の現在時刻データに基づいて前記指針を電気的に駆動制御する
ことを特徴とする請求項１〜請求項４のいずれか１項に記載の日付表示装置。
【請求項６】
前記所定数は３であり、
前記駆動制御手段は、前記計時手段の年月日データに基づいて当日の日付を表す数字、及び、その前後の日付を表す数字を露出させるように前記回転板を回転制御する
ことを特徴とする請求項１〜請求項５のいずれか１項に記載の日付表示装置。
【請求項７】
前記所定数は７であり、
前記固定板には、その上面に前記開口部と並列して７個の曜日が記されており、
前記駆動制御手段は、前記計時手段の年月日データに基づいて当日を含む７個の連続した日付を表す７個の数字を前記７個の曜日の表示と対応付けて露出させるように前記回転板を回転制御する
ことを特徴とする請求項１〜請求項５のいずれか１項に記載の日付表示装置。
【発明の詳細な説明】
【技術分野】
【０００１】
この発明は、回転板を用いた日付表示装置に関する。
【背景技術】
【０００２】
従来、指針や回転板を用いて時刻や日付を表示するアナログ時計がある。このアナログ時計では、小窓が設けられた文字板の下部で１〜３１の数字が記された回転板を回転させ、日付に該当する数字のみを小窓から露出させることにより日付を表示する。しかしながら、２月、小の月、および、大の月では、それぞれ月当りの日付数が異なるため、このような表示方法で毎日単純に１日分ずつ回転板を回転させたのでは日付の表示がずれてしまう。そこで、特許文献１には、月日を計数する手段を設けて月末での回転板の回転角度を制御することにより、適切に日付の表示を行わせる技術が提案されている。
【０００３】
また、以前より、前後を含めた３日分の連続した日付を小窓から露出させるアナログ時計や、文字板に設けられた曜日の表示と対応付けて一週間分の日付を露出させるアナログ時計がある。このようなアナログ時計では、１〜３１の数字が記された上記の回転板を用いると、２月、および、小の月の月末を跨いで日付を表示する際に表示が不正確となる。そこで、特許文献２には、一週間分の日付を表示する腕時計において１〜６の数字が記載された修正文字板を更に設け、２月、および、小の月の月末を跨ぐ場合には、この修正文字板を駆動して回転文字板の不要な日付と不正確な日付とを上から覆うことによって表示を修正する技術が提案されている。
【先行技術文献】
【特許文献】
【０００４】
【特許文献１】特開平３−２１８４９２号公報
【特許文献２】特表２００６−５２４８０１号公報
【発明の概要】
【発明が解決しようとする課題】
【０００５】
しかしながら、従来の技術では、回転板を回転制御して月末を跨ぐ複数の連続した日付を適切に表示させるには、複数の文字板や複数のモータを利用しなければならず、動作や構造が複雑になるという課題があった。
【０００６】
この発明の目的は、複数の連続した日付を常に正確、且つ、簡便に示すことのできる機能を備えた日付表示装置を提供することにある。
【課題を解決するための手段】
【０００７】
本発明は、上記目的を達成するため、請求項１に記載の発明は、
複数の日付をそれぞれ表す複数の数字が上面に環状に印された回転板と、
前記回転板上に設けられ、前記複数の数字のうち連続する所定数（２以上の整数）の日付を表す所定数の数字を露出する開口部が形成された固定板とを備え、
前記回転板と前記固定板を用いて前記連続する所定数の日付を表す所定数の数字を同時に表示する日付表示装置において、
前記回転板に印された複数の数字の配列は、
大の月の日付を表す１から３１の数字が所定の方向に沿って順番に並べられた第１配列と、
１日から（所定数−１）日までの日付を表す数字及び月末が３１日でない第１〜第３の小の月のうち第１の小の月の月末の（所定数−２）日前から月末までの日付を表す数字が前記所定の方向に沿って順番に並べられた第２配列と、
１日から（所定数−１）日までの日付を表す数字及び前記第２の小の月の月末の（所定数−２）日前から月末までの日付を表す数字が前記所定の方向に沿って順番に並べられた第３配列と、
１日から（所定数−１）日までの日付を表す数字及び前記第３の小の月の月末の（所定数−２）日前から月末までの日付を表す数字が前記所定の方向に沿って順番に並べられた第４配列と
を有することを特徴としている。
【０００８】
請求項２に記載の発明は、
複数の日付をそれぞれ表す複数の数字が上面に環状に印された回転板と、
前記回転板上に設けられ、前記複数の数字のうち連続する所定数（２以上の整数）の日付を表す所定数の数字を露出する開口部が形成された固定板とを備え、
前記回転板と前記固定板を用いて前記連続する所定数の日付を表す所定数の数字を同時に表示する日付表示装置において、
前記回転板に印された複数の数字の配列は、
月末が３１日でない第１〜第３の小の月のうち第１の小の月の日付を表す数字が所定方向に沿って順番に並べられた第５配列と、
１日から（所定数−１）日までの日付を表す数字及び第２の小の月の月末の（所定数−２）日前から月末までの日付を表す数字が前記所定方向に沿って順番に並べられた第６配列と、
１日から（所定数−１）日までの日付を表す数字及び第３の小の月の月末の（所定数−２）日前から月末までの日付を表す数字が前記所定方向に沿って順番に並べられた第７配列と、
１日から（所定数−１）日までの日付を表す数字及び第１の小の月の月末の（所定数−２）日前から３１日までの日付を表す数字が前記所定方向に沿って順番に並べられた第８配列と
を有することを特徴としている。
【０００９】
請求項３に記載の発明は、
複数の日付をそれぞれ表す複数の数字が上面に環状に印された回転板と、
この回転板上に設けられ、前記複数の日付を表す数字のうち連続する所定数（２以上の整数）の日付を表す所定数の数字を露出する開口部が形成された固定板とを備え、
前記回転板と前記固定板を用いて前記連続する所定数の日付を表す所定数の数字を同時に表示する日付表示装置において、
前記複数の日付をそれぞれ表す複数の数字には、暦上出現し得る前記連続する所定数の日付を表す所定数の数字の配列が全て含まれている
ことを特徴としている。
【００１０】
請求項４に記載の発明は、請求項１〜請求項３のいずれか１項に記載の日付表示装置において、
前記計時手段の年月日データに基づいて前記回転板を電気的に回転制御し、当日を含む連続した前記所定数の日付に対応する所定数の数字を前記開口部から露出させる駆動制御手段と
を備えていることを特徴としている。
【００１１】
請求項５に記載の発明は、請求項１〜請求項４のいずれか１項に記載の日付表示装置において、
前記固定板上で回転して時刻を指し示す指針を備え、
前記計時手段は、現在時刻の計数を行い、
前記駆動制御手段は、前記計時手段の現在時刻データに基づいて前記指針を電気的に駆動制御する
ことを特徴としている。
【００１２】
請求項６に記載の発明は、請求項１〜請求項５のいずれか１項に記載の日付表示装置において、
前記所定数は３であり、
前記駆動制御手段は、前記計時手段の年月日データに基づいて当日の日付を表す数字、及び、その前後の日付を表す数字を露出させるように前記回転板を回転制御する
ことを特徴としている。
【００１３】
請求項７に記載の発明は、請求項１〜請求項５のいずれか１項に記載の日付表示装置において、
前記所定数は７であり、
前記固定板には、その上面に前記開口部と並列して７個の曜日が記されており、
前記駆動制御手段は、前記計時手段の年月日データに基づいて当日を含む７個の連続した日付を表す７個の数字を前記７個の曜日の表示と対応付けて露出させるように前記回転板を回転制御する
ことを特徴としている。
【発明の効果】
【００１４】
本発明に従うと、回転文字板を用いた日付表示装置において、所定数の連続した日付を常に正確、且つ、簡便に表示させることができるという効果がある。
【図面の簡単な説明】
【００１５】
【図１】本発明の実施形態の電子時計を示す正面図である。
【図２】実施形態の電子時計の文字板の下側の構造を示す平面図である。
【図３】実施形態の電子時計の内部構成を示すブロック図である。
【図４】実施形態の電子時計の日車の上面に設けられた日付を表す数字の配置の例を示す平面図である。
【図５】実施形態の電子時計のＣＰＵによる日付表示処理の制御手順を示すフローチャートである。
【図６】実施形態の電子時計の文字板及び回転板の変形例を示す平面図である。
【発明を実施するための形態】
【００１６】
以下、本発明の実施の形態を図面に基づいて説明する。
【００１７】
図１は、本発明の日付表示装置の実施形態である電子時計の正面図である。
【００１８】
本発明の電子時計１は、指針と回転板とを用いて時刻と日付とを同時に表示する機能を備えた指針式電子時計である。この電子時計１は、電子時計１の内部機構を保持するケーシング１０と、前面を覆う風防ガラスとで囲まれた内側に、時刻を表す数字を備えた文字板１１が設けられ、この文字板１１上の数字を指し示すことで時、分、秒をそれぞれ表示するように時針３、分針４、および、秒針５からなる指針が回転可能に配置された構成となっている。また、ケーシング１０の右側面には、押下することにより入力操作を行うスイッチＳ１、Ｓ２が設けられている。
【００１９】
文字板１１には、その中央に指針３〜５の回転軸（図２参照）を貫通させる孔が設けられており、また、６時の方向には、小窓１２が設けられている。電子時計１は、この文字板１１の下に回転可能に設けられた日車２を備えており、この日車２の上面の一部分が小窓１２を通して露出される構成となっている。小窓１２は、貫通孔であっても良いし、透明な部材（例えば、ガラス）によって構成することとしても良い。
【００２０】
図２は、電子時計１の文字板１１の下側の構造を示す平面図である。
【００２１】
文字板１１の下側には、その中心に指針３〜５を伴って回転する時針軸３３、分針軸３４、秒針軸３５が同軸で配置されている。時針軸３３は、ステップモータで回転駆動された日ノ裏車４３ｂと時針車４３ａとを含む輪列機構を介して回転するように構成されている。
【００２２】
日車２は、円盤の中心部を円形に取り除いた円環状の部材であり、その内縁に沿って内歯車部３２を有している。この日車２は、機枠１０１によって回転可能に保持されており、ステップモータで回転駆動された平歯車４２ａを含む輪列機構を介して指針３〜５と同一の軸の周りを回転する。
【００２３】
この日車２の上面には、中心軸から小窓１２への距離と等距離の円周上に、後に詳述する複数の数字が等間隔で設けられており、これらの数字のうちの３個が小窓１２から上面に露出されるようになっている。
【００２４】
図３は、電子時計１の内部構成を示すブロック図である。
【００２５】
電子時計１は、ＣＰＵ（中央演算処理装置）を含み、装置全体の制御を行う制御部８０（駆動制御手段）と、制御部８０のＣＰＵに作業用メモリ空間を提供するＲＡＭ（Random Access Memory）８１と、時計動作の各種制御を行うプログラムと設定データとが格納されたＲＯＭ（Read Only Memory）８２と、図示略の発振回路から入力された所定の周波数の信号を分周し、日時データをカウントする計時部８３（計時手段）と、外部から入力操作を行うスイッチ部Ｓ１およびＳ２と、日車２と、平歯車４２ａを含む複数の歯車を有し、日車２を所定角度ずつ回転させる輪列機構４２と、時針３と、時針車４３ａおよび日ノ裏車４３ｂを含む複数の歯車を有し、時針３を所定角度ずつ回転させる輪列機構４３と、複数の歯車を有し、分針４および秒針５をそれぞれ所定角度ずつ回転させる輪列機構４４、４５と、輪列機構４２〜４５の歯車をそれぞれ所定角度ずつ回転させるステップモータ５２〜５５と、制御部８０からの指令によりステップモータ５２〜５５に信号を伝えてステップモータ５２〜５５をそれぞれ独立に駆動する駆動回路７２〜７５などを備えている。
【００２６】
ＲＯＭ８２に含まれる制御プログラムおよび設定データには、各月当りの日付数を示すテーブルやうるう年の計算プログラムが含まれており、これらは、日付の変更時に制御部８０のＣＰＵによって読み出されて計時部８３による日付データのカウントや日車２の回転処理などに利用される。
【００２７】
計時部８３は、図示略の発振回路から入力した所定の周波数の信号を分周し、時、分、秒、秒未満、および、年月日をカウントし、それぞれの値を保持する。また、これらのカウント値は、スイッチ部Ｓ１、Ｓ２からの入力指示により、上書き修正される。
【００２８】
なお、本実施形態では、時針３及び分針４がそれぞれ異なる駆動回路７３、７４およびステップモータ５３、５４によって独立に駆動される構成となっているが、一個の駆動回路とステップモータとを用いて輪列機構４３、４４を駆動させる構成としても良い。また、日車２および指針３〜５以外に小針等の異なる指針を含む構成であっても良い。
【００２９】
次に、日車２の上面に記された数値の配列について説明する。
【００３０】
図４は、日車２の上面に設けられた日付を表す数字の配置の例を示す平面図である。
【００３１】
図４に示すように、本実施形態の日車２の同一円周上には、複数の日付を表す複数の数字が環状に配列されて設けられている。これらの数字は、まず、数字「１〜３１」が等間隔で順番に設けられ（領域Ｒ１）、その後ろに引き続いて３組の数字の配列「１（位置Ｐ４）、２、２７、２８（位置Ｐ１）」、「１（位置Ｐ５）、２、２８、２９（位置Ｐ２）」、および、「１（位置Ｐ６）、２、２９、３０（位置Ｐ３）」が順番に追加されて、一周した後に最初の数字“１”へと戻るようになっている。
【００３２】
ここで、太陽暦における連続した３日間の日付の配列としては、「１、２、３」、「２、３、４」…「２９、３０、３１」という２９通りに加えて、大の月の月末を跨ぐ「３０、３１、１」および「３１、１、２」、小の月の月末を跨ぐ「２９、３０、１」および「３０、１、２」、閏年の２月の月末を跨ぐ「２８、２９、１」および「２９、１、２」、そして、閏年ではない２月の月末を跨ぐ「２７、２８、１」、「２８、１、２」という８通りの日付の配列が存在する。図４に示すように、それぞれの月当り日付数（２８、２９、３０、３１）に対して、各日付数の月の月初めの２日（１、２）、及び、月末の２日（２７、２８）、（２８、２９）、（２９、３０）、（３０、３１）をそれぞれ組み合わせた配列を設けることによってこれら８通りの日付の配列を表現することができる。従って、１つの日車２上の合計４３個の数字を用いて全３７通りの連続した３日間の日付の配列を表示することが可能になる。
【００３３】
なお、本実施形態では、数字をアラビア数字で示しているが、１〜３１日の各日付を表現できるものであれば、例えば、漢数字を用いても良い。
【００３４】
次に、日付表示を変更する際の日車２の回転制御処理について、フローチャートを用いて説明する。
【００３５】
図５は、制御部８０のＣＰＵによる日付表示変更処理の制御手順を示すフローチャートである。
【００３６】
この制御処理は、日付が切り替わる前後の所定の時間に毎日自動的に開始されて行われるものである。
【００３７】
制御処理が開始されると、まずＣＰＵは、変更する日付が２８日であるか否かを判別する（ステップＳ１）。そして、２８日であれば、ステップＳ２へ移行し、その日が２月２８日であり、且つ、その年が閏年ではないかを判別する。閏年でなければ“ＹＥＳ”へ分岐してステップＳ３へ移行し、ＣＰＵは、図４に示された日車２上の位置Ｐ１の数字“２８”を小窓１２の中心に表示するように日車２を回転駆動させたのち、日付表示変更処理を終了する。２月ではないか、或いは、閏年である場合は、“ＮＯ”に分岐してステップＳ１７へ移行する。
【００３８】
ステップＳ１の判別処理で２８日ではないと判別された場合は、ステップＳ４に移行し、次に、変更する日付が２９日であるか否かを判別する。そして、２９日であれば、ステップＳ５へ移行し、その日が２月２９日であるか否かを判別する。２月２９日であれば、ステップＳ６へ移行して、ＣＰＵは、図４に示された日車２上の位置Ｐ２の数字“２９”を小窓１２の中心に表示するように日車２を回転駆動させたのち、日付表示変更処理を終了する。２月２９日ではない場合は、ステップＳ１７へ移行する。
【００３９】
ステップＳ４の判別処理で２９日ではないと判別された場合は、ステップＳ７に移行し、続いて、変更する日付が３０日であるか否かを判別する。そして、３０日であれば、ステップＳ８へ移行し、その日が小の月、すなわち、４、６、９、１１月の３０日であるか否かを判別する。小の月の３０日であれば、ステップＳ９へ移行して、ＣＰＵは、図４に示された日車２上の位置Ｐ３の数字“３０”を小窓１２の中心に表示するように日車２を回転駆動させたのち、日付表示変更処理を終了する。小の月の３０日ではない場合は、ステップＳ１７へ移行する。
【００４０】
ステップＳ７の判別処理で３０日ではないと判別された場合は、ステップＳ１０へ移行し、変更する日付が１日であるか否かを判別する。そして、１日であれば、ステップＳ１１へ移行し、変更する日付が３月１日であるか否かを判別する。３月１日である場合は、続いて、このその年が閏年であるか否かを判別する（ステップＳ１２）。
【００４１】
閏年ではない場合は、ＣＰＵは、図４に示された日車２上の位置Ｐ５の数字“１”を小窓１２の中心に表示するように日車２を回転駆動させ（ステップＳ１３）、一方、閏年の場合は、ＣＰＵは、図４に示された日車２上の位置Ｐ６の数字“１”を小窓１２の中心に表示するように日車２を回転駆動させる（ステップＳ１４）。そして、何れの場合も、日付表示変更処理を終了する。
【００４２】
また、ステップＳ１１の判別処理で３月以外の１日であると判別された場合は、次に、小の月の翌月、すなわち、５、７、１０、１２月の１日であるか否かを判別する（ステップＳ１５）。判別結果が“ＹＥＳ”であれば、ステップＳ１７へ移行し、判別結果が“ＮＯ”であれば、ステップＳ１６へ移行して、ＣＰＵは、図４に示された日車２上の位置Ｐ４の数字“１”を小窓１２の中心に表示するように日車２を回転駆動させた後、日付表示変更処理を終了する。
【００４３】
ステップＳ１７へ移行した場合、すなわち、閏年ではない２月以外の２８日、２月以外の２９日、大の月の３０日と３１日、５、７、１０、１２月の１日、および、全ての月の２〜２７日の場合は、図４の日車２に示された領域７の内部の該当する日付と同じ数の数字を小窓１２の中心に表示するように日車２を回転駆動させた後、日付表示変更処理を終了する。
【００４４】
なお、上記のステップＳ１、Ｓ４、Ｓ７、Ｓ１０の日付判別処理の順番は、入れ替えが可能である。
【００４５】
また、日付を示す数字の配列順序は上記に示したものに限られない。例えば、領域Ｒ１における数字「１〜３１」の配列の後ろに設けられた３組の数字の配列の順序は、入れ替えることができる。すなわち、
「１、２、２７、２８、１、２、２８、２９、１、２、２９、３０」に加えて、
「１、２、２７、２８、１、２、２９、３０、１、２、２８、２９」、
「１、２、２８、２９、１、２、２７、２８、１、２、２９、３０」、
「１、２、２８、２９、１、２、２９、３０、１、２、２７、２８」、
「１、２、２９、３０、１、２、２７、２８、１、２、２８、２９」、および、
「１、２、２９、３０、１、２、２８、２９、１、２、２７、２８」という順序であっても良い。
【００４６】
また、領域Ｒ１に設ける数字の配列を数字「１〜２８」とし、この後ろに１５個の数字「１、２、２８、２９、１、２、２９、３０、１、２、２７、２８、２９、３０、３１」を追加することによっても全ての日付の配列を表すことができる。この場合も、３組の数字の配列「１、２、２８、２９」、「１、２、２９、３０」、「１、２、２７、２８、２９、３０、３１」の順序を入れ換えることが可能である。すなわち、
「１、２、２９、３０、１、２、２８、２９、１、２、２７、２８、２９、３０、３１」、
「１、２、２８、２９、１、２、２７、２８、２９、３０、３１、１、２、２９、３０」、
「１、２、２９、３０、１、２、２７、２８、２９、３０、３１、１、２、２８、２９」、
「１、２、２７、２８、２９、３０、３１、１、２、２９、３０、１、２、２８、２９」、および、
「１、２、２７、２８、２９、３０、３１、１、２、２８、２９、１、２、２９、３０」という６通りの配列であっても良い。
【００４７】
同様に、領域Ｒ１の数字の配列が数字「１〜２９」の場合には、位置Ｐ５と位置Ｐ２との間の配列を数字「１、２、２８、２９、３０、３１」に変更し、また、領域Ｒ１の数字の配列が数字「１〜３０」の場合には、位置Ｐ６と位置Ｐ３との間の配列を数字「１、２、２９、３０、３１」に変更することによっても、合計４３個の数字によって全ての３日連続した日付の配列を得ることができる。
【００４８】
また、数字の数を上記の４３個よりも多くすることによって、更に多くの配列で全３７種類の３日連続した日付の配列を全て含むことができる。例えば、数字「１〜３１」の後ろに２０個の数字「１、３１、１、２、２７、２８、１、２８、１、２、２８、２９、１、２９、１、２、２９、３０、１、３０」を追加することにより合計５１個の数字を用いて上記３７通りの連続した３日間の日付を示す数字の配列を全て設けることも可能である。
【００４９】
また、領域Ｒ１内の配列が表す日付は、月初めから月末への並びには限られず、例えば、数字の配列「１５〜３１、１〜１６」の後ろに、１２個の数字「２７、２８、１、２、２８、２９、１、２、２９、３０、１、２」を追加することによっても合計４５個の数字を用いて全ての３日連続した日付の配列を表示することができる。
【００５０】
更には、例えば、連続した３日間を示す数字の配列「１、２、３」、「２、３、４」、「３、４、５」という全３７通りを重複なく全て設けて、合計１１１個の数字により連続した３日間の日付を全て表示することも可能である。
【００５１】
［変形例］
図６は、電子時計の文字板と開口部との変形例を示す平面図である。
【００５２】
この変形例では、文字板１１Ｂ上の小窓１２Ｂは、３時の方向に設けられており、連続する７日分の日付を表す数字が表示可能となっている。また、変形例の文字板１１Ｂ上には、小窓１２Ｂに沿って日曜日から土曜日の各曜日を示す文字列「ＳＵ、ＭＯ、ＴＵ、ＷＥ、ＴＨ、ＦＲ、ＳＡ」の表示１１０が設けられている。図６に示されているように、大の月の月末には、例えば、日車２Ｂ上の数字「２８、２９、３０、３１、１、２、３」が小窓１２Ｂから露出される。そして、週に１回土曜日から日曜日に日付が切り替わる前後に日車２Ｂが回転動作し、新しい１週間の日付を曜日と対応付けて表示する。図６の例では、小窓１２Ｂから露出される日車２Ｂ上の数字は、数字「４、５、６、７、８、９、１０」へと変更される。
【００５３】
この変形例における日車２Ｂ上に設けられた数字の表す数値の配列は、例えば、「１、２、３…２９、３０、３１、１、２、３、４、５、６、２３、２４、２５、２６、２７、２８、１、２、３、４、５、６、２４、２５、２６、２７、２８、２９、１、２、３、４、５、６、２５、２６、２７、２８、２９、３０」である。このような配列によって、全ての連続した７日間の日付パターンを表示させることができる。
【００５４】
また、この配列では、数字「１〜３１」の配列の後ろに設けられた「１、２、３、４、５、６、２３、２４、２５、２６、２７、２８」、「１、２、３、４、５、６、２４、２５、２６、２７、２８、２９」、および、「１、２、３、４、５、６、２５、２６、２７、２８、２９、３０」という３組の配列の順番は入れ換え可能である。また、上記の３日連続した日付を表示させる実施形態と同様に、全ての７日連続した日付のパターンが日車２Ｂ上に網羅されていれば、それらのパターンがどのような順序および数字の個数であっても実施可能である。
【００５５】
以上のように、本発明の実施形態の電子時計１によれば、一枚の日車２の上面に暦上出現し得る全ての３日連続した日付の配列が含まれる数列が表示されている。従って、制御部が計時部８３のデータに基づいて日車２を適切な位置に回転させる処理を行うだけで、簡便に月を跨ぐ３日連続した日付も正確に表示することができる。
【００５６】
また、文字板１１の下に回転可能に設けられた一枚の日車２の上面には、１〜３１の日付と、３１日以外の月当り日付数（２８〜３０）に対して各々月初めの連続した２日（１、２）及び月末の連続した２日の日付（２７、２８）、（２８、２９）、（２９、３０）とが一列の環状に表記されており、また、文字板１１には、３日間の連続した日付を露出させる開口部が設けられている。従って、回転板２上の日付の数字の数の増加を抑えつつ、制御部８０からの指令により日車２の適宜な部分を露出させるよう日車２を回転駆動させるだけで、常に正確、且つ、容易に３日間の連続した日付を露出させて表示させることができる。
【００５７】
また、一つの駆動回路およびステップモータの組み合わせのみで、ソフトウェアを用いた日車２の回転制御によって上記の全ての３日連続した日付を表示することができるので、複雑な動作や複数の表示機構を駆使することによる電力消費の増大を抑えることができる。
【００５８】
また、計時部８３で日時をまとめてカウントさせることによって、容易に時計表示と日付表示を同時に行うことができ、また、日付の表示を切り換えるタイミングを制御することができる。
【００５９】
また、変形例で示した電子時計１Ｂによれば、表示日数を７日とし、文字板１１Ｂ上に曜日表示を設けることによって、一週間分の日付と曜日を正確、且つ、簡便に表示することができる。
【００６０】
なお、本発明は、上記の実施の形態に限られるものではなく、様々な変更が可能である。例えば、上記実施の形態では、連続した３日間及び７日間を表示する構成を示したが、小窓１２の長さと日車２上の日付を表す数字の配列とを変更することにより、例えば、２日間連続や４日間連続の日付表示を行うことも可能である。
【００６１】
また、上記実施の形態の電子時計は、腕時計であっても良いし、或いは、置時計や壁掛け時計であっても良い。また、上記実施の形態では、電子時計に内蔵された日付表示機能を示したが、年月日を表示するカレンダー装置の日部分の表示や、カウントダウン装置に用いても良い。
【００６２】
また、上記実施の形態では、回転板は円環状であり、また、日付を表す数字の配列は環状であったが、扇型の形状であっても良いし、テープ状の表示部材を電気制御、或いは、手動で巻き上げ、及び、巻き戻すことによっても同様に連続した日付を表示することが可能である。その他、小窓の位置や形状、数字の配置や向きなど、実施形態で示した細部は、発明の範囲を逸脱しない範囲で適宜変更可能である。
【符号の説明】
【００６３】
１、１Ｂ      電子時計
２、２Ｂ      日車
３     時針
４     分針
５     秒針
１０   ケーシング
１１、１１Ｂ  文字板
１２、１２Ｂ  小窓
３２   内歯車部
３３   時針軸
３４   分針軸
３５   秒針軸
４２〜４５    輪列機構
４２ａ 平歯車
４３ａ 時針車
４３ｂ 日ノ裏車
５２〜５５    ステップモータ
７２〜７５    駆動回路
８０   制御部
８１   ＲＡＭ
８２   ＲＯＭ
８３   計時部
１０１ 機枠
【図１】
2011122841.tif 000003
【図２】
2011122841.tif 000004
【図３】
2011122841.tif 000005
【図４】
2011122841.tif 000006
【図５】
2011122841.tif 000007
【図６】
2011122841.tif 000008